(57)【特許請求の範囲】
【請求項１】
框の枠と対向する戸先壁に形成された引込用開口にガイド本体が装着され、枠に前記框が近接された場合に前記枠に設けられた錠受けが前記引込用開口を介して内部に進入されるとともに、前記ガイド本体に対して前記枠の見込み面に設けられた突条が当接される錠受けガイドであって、
前記ガイド本体には、前記突条が当接する部分の延長上となる部分から突出して前記戸先壁に対向した支持壁との間に介在し、かつ前記突条が前記ガイド本体に当接した場合に前記支持壁に当接する支持受部と、前記戸先壁の戸先面に当接する取付面とを設けたことを特徴とする錠受けガイド。
【請求項２】
框の枠と対向する戸先壁に形成された引込用開口に錠受けガイドが装着されるとともに、前記引込用開口に通じた前記框の内部に施錠機構を配設した障子と、
前記障子をスライド可能に支持し、かつ前記障子の戸先面に対向する枠の見込み面に突条を備えるとともに、前記引込用開口に対向する部位に錠受けを備えた開口枠と
を備え、前記枠に前記框を近接させて前記突条を前記錠受けガイドのガイド本体に当接させた場合に、前記引込用開口から前記框の内部に進入した錠受けを介して前記施錠機構が前記枠に係合し、これら枠及び框の互いに離隔する移動を阻止するようにした建具において、
前記ガイド本体には、前記突条が当接する部分の延長上となる部分から突出して前記戸先壁に対向する支持壁との間に介在し、かつ前記突条が前記ガイド本体に当接した場合に前記支持壁に当接する支持受部と、前記戸先壁の戸先面に当接する取付面とを設けたことを特徴とする建具。
【請求項３】
柱状を成す支持受部を前記ガイド本体と一体に形成し、前記支持受部の先端面を前記支持壁に当接させることを特徴とする請求項２に記載の建具。
【請求項４】
前記ガイド本体には、当該ガイド本体が前記戸先壁に取り付けられた状態において前記引込用開口の端縁と対向する部位に互いの接触を回避する窪部を設けたことを特徴とする請求項２に記載の建具。
【発明の詳細な説明】
【技術分野】
【０００１】
本発明は、障子の戸先に設けられる錠受けガイド及び錠受けガイドを備えた建具に関するものである。
【背景技術】
【０００２】
引き違い窓等の建具には、戸先錠と称される施錠装置を備えたものが提供されている。施錠装置は、例えば、障子において戸先に位置する縦框に配設された施錠機構と、開口枠において戸先の縦框に対向する縦枠に配設された錠受けとによって構成されている。この施錠装置では、障子が閉じられた際に、縦框の戸先壁に形成した引込用開口を通じて錠受けが縦框の内部に進入し、やがて進入した錠受けが施錠機構に係合する。これにより、縦枠及び縦框の互いに離隔する移動が阻止され、開口枠に対して障子が閉じた状態に維持されることになる。錠受けと施錠装置との係合状態を解除すれば、障子を開けることが可能である（例えば、特許文献１参照）。
【先行技術文献】
【特許文献】
【０００３】
【特許文献１】特開２００６−２３３５５４号公報
【発明の概要】
【発明が解決しようとする課題】
【０００４】
この種の建具では、縦枠において障子の戸先面に対向する部位に突条が設けられる一方、障子に形成された引込用開口に錠受けガイドが装着され、障子を閉じた際に突条を錠受けガイドに当接させるようにしたものがある。錠受けガイドとしては、合成樹脂材によって成形されたものを適用するのが一般的である。こうした建具によれば、開口枠の突条に対して障子の錠受けガイドが当接することで、開口枠に対して障子の閉じた位置を正確に規定することが可能となる。従って、例えば開口枠の突条に対して障子の錠受けガイドが当接した時点で錠受けが施錠機構に係合するように構成すれば、施錠状態において障子がガタ付く事態を防止することができるようになる。
【０００５】
しかしながら、縦框の戸先壁は、引込用開口が大きく切り欠かれたものであり、必ずしも十分な剛性を確保できるとはいえない。このため、大きな速度を持って障子を閉める等、開口枠の突条に対して障子の錠受けガイドが衝撃的に当接した場合には、縦框の戸先壁に損傷を来す恐れがある。
【０００６】
こうした問題を解決するには、戸先壁の肉厚を大きくとることが考えられるが、建具の製造コストが増大したり、製品重量が増大する問題を招来するのは否めない。特に、縦框として押し出し型材を適用した場合には、全長に渡って肉厚が大きくならざるを得ず、上述の製造コストや製品重量が増大する問題が一層顕著となる。
【０００７】
本発明は、上記実情に鑑みて、製造コストや製品重量が増大する問題を抑えた上で、ガタ付くことなく障子と開口枠との間を施錠することのできる錠受けガイド及び建具を提供することを目的とする。
【課題を解決するための手段】
【０００８】
上記目的を達成するため、本発明に係る錠受けガイドは、框の枠と対向する戸先壁に形成された引込用開口にガイド本体が装着され、枠に前記框が近接された場合に前記枠に設けられた錠受けが前記引込用開口を介して内部に進入されるとともに、前記ガイド本体に対して前記枠の見込み面に設けられた突条が当接される錠受けガイドであって、前記ガイド本体には、前記突条が当接する部分の延長上となる部分から突出して前記戸先壁に対向した支持壁との間に介在し、かつ前記突条が前記ガイド本体に当接した場合に前記支持壁に当接する支持受部と、前記戸先壁の戸先面に当接する取付面とを設けたことを特徴とする。
【０００９】
この発明によれば、障子閉動作を行い錠受けガイドのガイド本体に開口枠の突条が当接した場合、ガイド本体と戸先壁に作用する外力をガイド本体の支持受部を介して支持壁に伝えることができ、戸先壁の変形を抑制することができる。
【００１０】
また、本発明に係る建具は、框の枠と対向する戸先壁に形成された引込用開口に錠受けガイドが装着されるとともに、前記引込用開口に通じた前記框の内部に施錠機構を配設した障子と、前記障子をスライド可能に支持し、かつ前記障子の戸先面に対向する枠の見込み面に突条を備えるとともに、前記引込用開口に対向する部位に錠受けを備えた開口枠とを備え、前記枠に前記框を近接させて前記突条を前記錠受けガイドのガイド本体に当接させた場合に、前記引込用開口から前記框の内部に進入した錠受けを介して前記施錠機構が前記枠に係合し、これら枠及び框の互いに離隔する移動を阻止するようにした建具において、前記ガイド本体には、前記突条が当接する部分の延長上となる部分から突出して前記戸先壁に対向する支持壁との間に介在し、かつ前記突条が前記ガイド本体に当接した場合に前記支持壁に当接する支持受部と、前記戸先壁の戸先面に当接する取付面とを設けたことを特徴とする。
【００１１】
この発明によれば、障子閉動作を行い錠受けガイドのガイド本体に開口枠の突条が当接した場合、ガイド本体と戸先壁に作用する外力をガイド本体の支持受部を介して支持壁に伝えることができ、戸先壁の変形を抑制することができる。
【００１２】
また、本発明は、上述した建具において、柱状を成す支持受部を前記ガイド本体と一体に形成し、前記支持受部の先端面を前記支持壁に当接させることを特徴とする。
【００１３】
この発明によれば、ガイド本体と支持受部とを一体の部品として取り扱うことができる。
【００１４】
また、本発明は、上述した建具において、前記ガイド本体には、当該ガイド本体が前記戸先壁に取り付けられた状態において前記引込用開口の端縁と対向する部位に互いの接触を回避する窪部を設けたことを特徴とする。
【００１５】
この発明によれば、ガイド本体に開口枠の突条が当接した場合、戸先壁において引込用開口の端縁に外力が加えられることがない。
【発明の効果】
【００１６】
本発明によれば、ガイド本体に開口枠の突条が当接した場合、ガイド本体と戸先壁に作用する外力が支持受部を介して支持壁に作用する。これにより、戸先壁の肉厚を大きくとることなく、戸先壁に損傷を来す恐れがなくなるため、製造コストや製品重量が増大する問題を抑えた上で、ガタ付くことなく障子と開口枠との間を施錠することが可能となる。
【図面の簡単な説明】
【００１７】
【図１】図１は、本発明の実施の形態である錠受けガイドを適用した建具が閉じる状態を示す要部横断面図である。
【図２】図２は、図１に示した建具において障子が閉じる際の錠受けと施錠機構との関係を示す要部横断面図である。
【図３】図３は、図１に示した建具の要部を示す分解斜視図である。
【図４】図４は、図１に示した建具の要部を示す縦断面図である。
【図５】図５は、図１に示した建具を室内側から見た図である。
【図６】図６は、図１に示した建具の横断面図である。
【発明を実施するための形態】
【００１８】
以下、添付図面を参照しながら本発明に係る錠受けガイド及び建具の好適な実施の形態について詳細に説明する。
【００１９】
図１及び図２は、本発明の実施の形態である錠受けガイドを適用した建具を示すものである。ここで例示する建具は、図５及び図６に示すように、開口枠１０に左右２枚の障子２０を備え、開口枠１０に対して２枚の障子２０を左右方向にスライドさせて開閉する、いわゆる引き違い窓と称されるものである。開口枠１０は、上枠１１、下枠１２及び一対の縦枠１３を四周枠組みすることによって構成した矩形状を成すものである。障子２０は、それぞれ上框２１、下框２２及び一対の縦框２３，２４を四周框組みし、かつこれら上框２１、下框２２及び一対の縦框２３，２４の間にガラス板等の面材２５を配設することによって構成したものである。尚、本実施の形態では、開口枠１０の各枠１１，１２，１３及び障子２０の各框２１，２２，２３，２４として、それぞれアルミニウムやアルミニウム合金の押し出し型材によって成形されたものを適用している。
【００２０】
開口枠１０の縦枠１３には、図１及び図２に示すように、障子２０の戸先框２３に対向する部位に突条１３ａが設けてある。突条１３ａは、縦枠１３の上端から下端に渡る全長に設けたヒレ状の突部であり、先端部が室内側に向けてほぼ直角に屈曲し、その突出端部に当接面１３ｂを構成している。
【００２１】
一方、障子２０の戸先に位置する縦框（以下、縦框を区別する場合に「戸先框２３」という）は、戸先側に位置する戸先壁２３ａに対して面材２５側に支持壁２３ｂを有し、かつこれら戸先壁２３ａと支持壁２３ｂとの端縁部間がそれぞれ見付け壁２３ｃ，２３ｄによって接合された中空の角筒状を成している。さらに、この戸先框２３には、戸先壁２３ａの両側縁部にカバー片２３ｅ，２３ｆが一体に設けてある。これらのカバー片２３ｅ，２３ｆは、縦枠１３に向けて互いにほぼ平行となるように延在しており、戸先壁２３ａの戸先面２３ｇ及び互いの間に縦枠１３の突条１３ａが進入する収容部２３Ｈを構成している。
【００２２】
この建具には、障子２０の戸先框２３と、開口枠１０の対応する縦枠１３との間に、戸先錠と称される施錠装置が構成してある。施錠装置は、図２及び図５に示すように、縦枠１３において高さ方向のほぼ中央となる位置に錠受け３１を設ける一方、戸先框２３に引込用開口３２を形成し、かつ戸先框２３の内部に施錠機構３００を設けて構成したものである。
【００２３】
錠受け３１は、縦枠１３の見込み面から突出したプレート状部材である。この錠受け３１は、その突出端部に係合孔３１ａを有しており、係合孔３１ａが見込み方向に沿って開口する姿勢で縦枠１３に取り付けてある。係合孔３１ａは、錠受け３１の突出端部側に縦枠１３の見付け面に対向する係合面３１ｂを構成するものである。
【００２４】
引込用開口３２は、戸先框２３の戸先壁２３ａにおいて錠受け３１に対向する部位に設けた切欠であり、図３に示すように、上下方向に沿って縦長に形成してある。この引込用開口３２は、戸先框２３を縦枠１３に近接させた場合に縦枠１３の錠受け３１を戸先框２３の内部に受け入れることが可能である。また、戸先框２３の戸先壁２３ａにおいて引込用開口３２の上下となる位置には、それぞれ開口が円形状の挿通孔３３が形成してある。これらの挿通孔３３は、後述する錠受けガイド４０の支持受部４２を挿通するためのものである。
【００２５】
施錠機構３００は、引込用開口３２を通じて錠受け３１が戸先框２３の内部に進入された場合に錠受け３１に係合し、錠受け３１の退行方向への移動を阻止するものである。施錠機構３００としては、如何なる構成のものを適用しても構わないが、本実施の形態では、図２に示すように、係合フック３１０とラチェット３２０とを備えたものを例示している。
【００２６】
係合フック３１０は、フック基部３１１からフック部３１２及び当接部３１３が突出した形状のプレート状部材であり、鉛直方向に沿ったフック軸３１４によりフック基部３１１を介して戸先框２３の内部に回転可能に配設してある。この係合フック３１０は、図２の（ａ）に示すように、引込用開口３２の延長域に当接部３１３が位置し、かつフック部３１２が退避した解錠位置と、図２の（ｂ）に示すように、引込用開口３２の延長域に対して手前側（図２において左方）からフック部３１２及び当接部３１３が順次位置した施錠位置とに変位することが可能である。図には明示していないが、この係合フック３１０と戸先框２３との間には、常時解錠位置となるように付勢する解錠バネが介在させてある。
【００２７】
ラチェット３２０は、ラチェット基部３２１から係止部３２２が突出した形状のプレート状部材であり、鉛直方向に沿ったラチェット軸３２３によりラチェット基部３２１を介して戸先框２３の内部に回転可能に配設してある。このラチェット３２０は、図示せぬラチェットバネの付勢力によって係止部３２２を常時フック基部３１１の外周面に当接させた状態にあり、解錠位置にある係合フック３１０が施錠位置に向けて回転するのを許容する一方、係合フック３１０が施錠位置に移動した場合に係止部３２２をフック基部３１１に係止させ、解錠位置に向けて回転するのを阻止するように機能する。尚、このラチェット３２０には、図示せぬ解除レバーが連係してある。解除レバー（図示せず）は、戸先框２３の外部から操作された場合にラチェット３２０を係合フック３１０から離隔させ、施錠位置にある係合フック３１０が解錠位置へ回転するのを許容するものである。
【００２８】
さらに建具には、障子２０の戸先框２３に錠受けガイド４０が装着してある。錠受けガイド４０は、図１〜図４に示すように、中央部にガイド孔４１ａを有したガイド本体４１と、ガイド本体４１の両端部から突出した一対の支持受部４２とを合成樹脂材によって一体に成形したもので、一部が外部に露出した状態でガイド本体４１を引込用開口３２に挿入し、かつ支持受部４２をそれぞれ挿通孔３３に挿通させることにより、戸先框２３の戸先壁２３ａに着脱可能に装着してある。より具体的に説明すると、錠受けガイド４０は、ガイド本体４１においてカバー片２３ｅ，２３ｆに対応する部位にそれぞれ係止突起４１ｂ，４１ｃを有しており、これらの係止突起４１ｂ，４１ｃをカバー片２３ｅ，２３ｆの係合ヒレ２３ｉ，２３ｊに対して弾性的に係合させることにより、戸先框２３の戸先壁２３ａに着脱可能に取り付けてある。
【００２９】
ガイド本体４１において縦枠１３の突条１３ａに対向する部位には、受面４１ｄが構成してある。受面４１ｄは、突条１３ａの当接面１３ｂに対して平行となるように形成した平面部分であり、戸先框２３の戸先面２３ｇから十分な肉厚を確保した位置に形成してある。この受面４１ｄの位置は、突条１３ａの当接面１３ｂが当接した時点で、引込用開口３２に進入した錠受け３１の係合孔３１ａに対して係合フック３１０のフック部３１２が進入し、係合フック３１０のフック部３１２が係合孔３１ａの係合面３１ｂに当接した状態となるように設定してある。尚、図１の（ｂ）に示すように、縦枠１３の突条１３ａが受面４１ｄに当接した場合には、カバー片２３ｅ，２３ｆの先端と縦枠１３の見込み面とが直接接触しないように間隙が確保してある。
【００３０】
支持受部４２は、図４に示すように、それぞれガイド本体４１の受面４１ｄにおいて突条１３ａが当接する部分の延長上となる部位から突出した円柱状を成すもので、戸先框２３に装着された状態において個々の先端面が支持壁２３ｂに当接している。
【００３１】
また、ガイド本体４１において戸先面２３ｇに対向する取付面４１ｅには、窪部４１ｆが設けてある。窪部４１ｆは、戸先壁２３ａにおいて引込用開口３２の外周縁となる部位に形成した凹部であり、錠受けガイド４０が戸先框２３に装着された状態において、ガイド本体４１と戸先壁２３ａの切断端縁とが互いに接触するのを回避している。
【００３２】
上記のように構成した建具では、開口枠１０に対して障子２０が開いた状態にある場合、図１の（ａ）及び図２の（ａ）に示すように、施錠機構３００の係合フック３１０が解錠バネ（図示せず）によって解錠位置に配置されている。障子２０の戸先面２３ｇに設けた錠受けガイド４０は、戸先框２３に構成した収容部２３Ｈに収容され、カバー片２３ｅ，２３ｆによってその大部分が覆われているため、室内側や室外側から容易に視認されることはなく、外観品質が著しく損なわれることはない。
【００３３】
この状態から障子２０を閉めると、図１の（ｂ）及び図２の（ｂ）に示すように、縦枠１３に設けた錠受け３１が引込用開口３２を通じて戸先框２３の内部に進入され、縦枠１３の突条１３ａがガイド本体４１の受面４１ｄに当接した時点で錠受け３１の係合孔３１ａに係合フック３１０のフック部３１２が進入して係合面３１ｂに当接した状態となるとともに、ラチェット３２０の係止部３２２がフック基部３１１に係止されて係合フック３１０の解錠位置への回転が阻止される。
【００３４】
この状態においては、施錠機構３００の係合フック３１０と縦枠１３の錠受け３１とが係合することにより、縦枠１３及び戸先框２３の互いに離隔する移動が阻止され、開口枠１０に対して障子２０が閉じた状態に維持される。しかも、縦枠１３の突条１３ａが錠受けガイド４０の受面４１ｄに当接した時点で係合フック３１０が錠受け３１の係合面３１ｂに当接するため、開口枠１０に対して障子２０を開ける方向のみならず、障子２０を閉める方向にも移動が阻止される。従って、施錠状態において障子２０がガタ付く事態を招来する恐れもない。
【００３５】
一方、この状態から図示せぬ解除レバー（図示せず）を操作すると、ラチェット３２０の係止部３２２がフック基部３１１から離隔され、解錠バネ（図示せず）のバネ力によって係合フック３１０が解錠位置に復帰するため、係合フック３１０のフック部３１２が錠受けガイド４０の係合孔３１ａから逸脱され、開口枠１０に対して障子２０を開くことができるようになる。
【００３６】
ここで、開口枠１０に対して障子２０を閉めた場合には、縦枠１３の突条１３ａが戸先框２３に設けた錠受けガイド４０の受面４１ｄに当接することになるため、錠受けガイド４０のガイド本体４１に衝撃力が加えられる恐れがある。しかしながら、上述の建具によれば、錠受けガイド４０のガイド本体４１に支持受部４２を設け、その先端面を戸先框２３の支持壁２３ｂに当接させるようにしている。従って、ガイド本体４１に突条１３ａが当接した場合、ガイド本体４１と戸先壁２３ａに作用する外力をガイド本体４１の支持受部４２を介して支持壁２３ｂに伝えることができるようになり、錠受けガイド４０を装着した戸先壁２３ａに大きな衝撃力が加えられる恐れがない。戸先框２３の支持壁２３ｂは、戸先壁２３ａのような引込用開口３２が形成されておらず、大きな肉厚を確保せずとも十分な剛性を確保することが可能である。これにより、戸先壁２３ａの肉厚を大きくとることなく、戸先壁２３ａに損傷を来す恐れがなくなるため、製造コストや製品重量が増大する問題を抑えた上で、ガタ付くことなく障子２０と開口枠１０との間を施錠することが可能となる。
【００３７】
尚、上述した実施の形態では、ガイド本体４１と支持受部４２とを一体成形しているため、取り扱う場合の部品点数が増大することがないが、ガイド本体４１と支持受部４２とを別体に成形しても構わない。また、支持受部４２は、図４に示すように、戸先框２３に装着された状態において個々の先端面が支持壁２３ｂに当接しているが、例えば、障子２０が開いた状態において支持受部４２の個々の先端面が支持壁２３ｂに離間し、障子２０が閉じた場合に支持受部４２の個々の先端面が支持壁２３ｂに当接する構成としても良い。
【００３８】
さらに、上述した実施の形態では、錠受けガイド４０が戸先壁２３ａに取り付けられた状態において、ガイド本体４１の戸先壁２３ａに対向する面と戸先壁２３ａとが当接したものを例示しているが、本発明はこれに限定されず、例えば、ガイド本体４１の戸先壁２３ａに対向する面と戸先壁２３ａとを離間しても設けても良い。この場合、錠受けガイド４０は、ガイド本体４１の係止突起４１ｂ，４１ｃをカバー片２３ｅ，２３ｆの係合ヒレ２３ｉ，２３ｊに対して弾性的に係合させるだけ戸先壁２３ａに装着することができる。この状態において、ガイド本体４１に開口枠１０の突条１３ａが当接した場合、ガイド本体４１のみに外力が作用し、さらにこの外力が支持受部４２を介して支持壁２３ｂに作用することになる。このため、ガイド本体４１に作用した外力が戸先框２３の戸先壁２３ａに加えられることがなく、戸先壁２３ａに変形を来す恐れがない。
【００３９】
また、上述した実施の形態では、支持壁２３ｂとして框の外表面を構成するものを例示しているが、例えば、框の内部に支持壁２３ｂに相当する内壁が存在するのであれば、その内壁を支持壁として構成することも可能である。
【００４０】
さらに、上述した実施の形態では、縦枠１３と縦框２３との間に施錠装置を設けるものを例示しているが、本発明はこれに限定されない。例えば、開口枠１０に対して障子２０が上下にスライドする建具に適用する場合には、下枠１２と下框２２との間もしくは上枠１１と上框２１との間に施錠装置を設けることも可能である。
【符号の説明】
【００４１】
１０      開口枠
１１      上枠
１２      下枠
１３      縦枠
１３ａ      突条
１３ｂ      当接面
２０      障子
２１      上框
２２      下框
２３      戸先框
２４      縦框
２３ａ      戸先壁
２３ｂ      支持壁
２３ｇ      戸先面
３１      錠受け
３２      引込用開口
４０      錠受けガイド
４１      ガイド本体
４１ｄ      受面
４１ｆ      窪部
４２      支持受部
３００      施錠機構
【図１】
0005700656.tif 000002
【図２】
0005700656.tif 000003
【図３】
0005700656.tif 000004
【図４】
0005700656.tif 000005
【図５】
0005700656.tif 000006
【図６】
0005700656.tif 000007